(57)【特許請求の範囲】
【請求項１】
複数種の液体が各別に入れられた送り出し側の第１タンク群のそれぞれに連通管の基端を接続し、各連通管の先端を受け側の第２タンク群のそれぞれに着脱可能に接続するようにしたタンク間の連通管において；第２タンク群の各タンクにバーコードその他のコードの表示器を備えること；表示器は第１タンク群のタンク数（ｎ個）と同数の蓋板を有すると共に、単一の鍵孔を備えていること；表示器内にはｎ個の蓋板に対応し各別に係脱する同数の錠止板を備え、ｎ個の錠止板は同一の鍵孔に差し込まれる互に異なる鍵で各別に解錠されるものであること；ｎ個の鍵は第１タンク群のｎ個のタンクにおける各連通管に対応させて保管してあること；表示器は各蓋板の開放時外部へ露出するバーコードその他のコードを備えていること；及び前記コードは液体の種別及び第２タンク群におけるタンクの別を指定するものであって、接続させようとする連通管の正誤を確認するために、別に準備された電気的判別確認装置によって読み取り処理されるものであることを特徴とするタンク間の連通管における接続確認装置。
【発明の詳細な説明】
【０００１】
【発明の属する技術分野】
この発明は、タンクローリー車等の積み降ろしにおけるタンク間連通管の接続確認装置に関する。
【０００２】
【従来の技術】
従来のこの種のタンク間の連通管における接続確認装置としては、製油所や化学工場等における積み降ろしステーションの一部に設置された大型で高価な流通制御システムを挙げることができるが、設備費が安く操作も簡単なものは現在のところ利用されるには至っていない。
【０００３】
一方で、積み降ろし作業において、ホース等の連通管の連結ミスにより発生する異種液体の混入事故は危険であることは言うまでもなく、そのような事故の発生は確実に防止されることが望まれている。
【０００４】
【発明が解決しようとする課題】
この発明は、設備費用が安く操作も簡単なタンク間の連通管における接続確認装置を提供することを目的とする。この発明の装置は、タンクローリー車の積み降ろしにおいて採用するに好適である。
【０００５】
【課題を解決するための手段】
上記の目的を達成するため、この発明のタンク間の連通管における接続確認装置は、複数種の液体が各別に入れられた送り出し側の第１タンク群のそれぞれに連通管の基端を接続し、各連通管の先端を受け側の第２タンク群のそれぞれに着脱可能に接続するようにしたタンク間の連通管において；第２タンク群の各タンクにバーコードその他のコードの表示器を備えること；表示器は第１タンク群のタンク数（ｎ個）と同数の蓋板を有すると共に、単一の鍵孔を備えていること；表示器内にはｎ個の蓋板に対応し各別に係脱する同数の錠止板を備え、ｎ個の錠止板は同一の鍵孔に差し込まれる互に異なる鍵で各別に解錠されるものであること；ｎ個の鍵は第１タンク群のｎ個のタンクにおける各連通管に対応させて保管してあること；表示器は各蓋板の開放時外部へ露出するバーコードその他のコードを備えていること；及び前記コードは液体の種別及び第２タンク群におけるタンクの別を指定するものであって、接続させようとする連通管の正誤を確認するために、別に準備された電気的判別確認装置によって読み取り処理されるものであることを特徴とする。
【０００６】
【発明の実施の形態】
以下、図面に示す実施例に基いて、この発明について説明する。
図１はこの発明が実施され得る第１タンク群１とタンクローリー車２０の第２タンク群２との間の石油製品、化学製品その他の液体の積み降ろし作業の態様を示している。同図では荷積みの状態を示しているが、この発明は荷降ろしにおいても実施できる。
【０００７】
符号１１〜１４は、異種の石油製品（ハイオクタンガソリン、レギュラーガソリン、軽油、灯油）その他の液体がそれぞれ各別に貯蔵されたタンクで、これらは送り出し側の第１タンク群１を構成している。
【０００８】
送り出し側の各タンク１１、１２、１３又は１４にはそれぞれホース等の連通管３１、３２、３３又は３４の基端が接続してあり、各連通管３１、３２、３３又は３４の先端は受け側の第２タンク群２を構成するタンク２１、２２、２３、２４、２５又は２６に着脱可能に接続することができるようにしてある。
【０００９】
図示例においては第２タンク群２のタンク２１〜２６はタンクローリー車２０上に設けてある。
【００１０】
要するに、第１タンク群１の各タンク１１、１２、１３又は１４と第２タンク群２の各タンク２１、２２、２３、２４、２５又は２６とはその連通管により選択的に接続できるようにしてある。
【００１１】
勿論第２タンク群２の各タンクは所望の期間について常時同種の液体が積み込まれるものであって、他種の液体が混入することは極めて危険であり、常に避けねばならないことである。
【００１２】
この発明に係る装置を用いることにより、タンクローリー車の運転者を含む操作者は、第１タンク群１と第２タンク群２との間の連通管の接続において誤操作を防止することができる。
【００１３】
図１において、符号４は第２タンク群２の各タンク２１、２２、・・・に設けられた後に詳述するバーコードその他のコードの表示器、７１〜７４は第１タンク群１の各タンクにおける連通管３１、３２、３３又は３４に対応させて保管してある互に異なる後記の鍵を示す。鍵７１〜７４は各表示器４の蓋板４１〜４４を開放するために用いられるものである。
【００１４】
次に、図１〜図５において、表示器４について詳述する。第２タンク群２のそれぞれに取り付けられる表示器４は全体として箱形をなし、送り出し側の第１タンク群１のタンク数ｎ（ｎ：１以上の正の整数）と同数の蓋板４１〜４４を有する。
【００１５】
蓋板４１〜４４は表示器本体４に対し例えば共通の枢軸４５でそれぞれ基端を枢着されており、図３に矢印Ｐで示すように各別に揺動して開閉できるようにしてある。
【００１６】
図３で符号４６は各蓋板４１、４２、・・・を開放方向に向け付勢するねじりばね等の開きばねで、枢軸４５の回りに設けられている。
【００１７】
表示器４は例えば縦方向（図２又は図４で上下方向）により単一で共通の鍵孔４８を備えており、表示器４内には前記の蓋板４１〜４４に各別に対応する同数の錠止板５１〜５４を備えている。錠止板５１〜５４は表示器内で上下に摺動可能である。
【００１８】
各錠止板５１、５２、・・・は常態では図４に示すように各錠止板と表示器本体４との間に設けられた圧縮ばね等の戻しばね５５で施錠方向（同図で上向き）に付勢され、各錠止板５１、５２、・・・に設けられた係合片６６が閉位置にある対応する蓋板４１、４２・・・に設けられた爪片４７に係合している。
【００１９】
図４において、符号４９は錠止板５２〜５４のストッパを兼ねる案内手段で、ピンと長孔の組で成る。なお、同図で仕切板や案内板等の一部の部材は、錠止板５１〜５４の作動又は機能を理解しやすくするため、描写を省略してある。
【００２０】
また、表示器４内には、各蓋板４１、４２、・・・が開放すると、各別に外部へ露出するバーコードその他のコード４１ａ、４２ａ、４３ａ又は４４ａが備えてある。
【００２１】
これらコード４１ａ〜４４ａの表示は少なくとも液体の種別及び第２タンク群におけるタンク２１〜２６の別（仕向けられるタンクの別）を指定するものであり、操作者が接続させようとする連通管３１、３２、３３又は３４の正誤の別を連結前に確認するためのものである。
【００２２】
操作者が第１タンク群１の一つのタンク（１１）から第２タンク群２の一つのタンク（２１）に液体を入れようとした時、予めタンク（１１）の連通管（３１）に対応する鍵（７１）をタンク（２１）の表示器４の鍵孔４８に差し込む。その時、ある蓋板（４１）が開放し、コード（４１ａ）が露出する。
【００２３】
ここで、別に準備された周知の電気的判別確認装置の例えばバーコードリーダ（図示しない）によって、外部へ露出したコード（４１ａ）を読み取り、引き続き行おうとしている連通管の連結操作の正誤を確認する。
【００２４】
コード（４１ａ）には正しい液体の種別及び第２タンク群２の内の正しいタンクの別が記録されており、操作者は電気的判別確認装置のディスプレー又はスピーカーを通じて視覚又は聴覚をもって次の操作の正誤を認識する。
【００２５】
前記の電気的判別確認装置は、読み取り手段、登録手段、記憶手段、比較手段及び表示手段等からなる公知のものである。
【００２６】
図６の（Ａ）〜（Ｄ）に示す平板状の鍵７１〜７４は、第１タンク群のタンク数（ｎ個）と同数の互に異なるものである。
【００２７】
それら鍵７１〜７４は、それぞれの先端の幅方向について異なる位置に作用溝７５を有する共に、作用溝７５に平行な（ｎ−１）個の逃げ溝を有する。
【００２８】
前記の鍵７１〜７４は、図１に示すように、異種の液体を貯蔵させたｎ個のタンク１１〜１４における連通管３１〜３４に各別に対応させて保管してある。
【００２９】
各鍵は対応する連通管の近傍に保管しておくか、対応する連通管に取り外し可能に直接取り付けて保管するとよい。
【００３０】
表示器４の鍵孔４８に矢印Ｑ（図４参照）のように例えば第１の鍵７１を差し込めば、第１錠止板５１と共にその錠止板５１に設けられた突片６１が鍵７１の作用溝７５によって戻しばね５５に抗して図２で下方に押され、第１錠止板５１上の係合片６６と第１の蓋板４１上の爪片４７との係合が解かれるので、第１の蓋板４１は開きばね４６の付勢により開放される。
【００３１】
前記の解錠操作において、第１の鍵７１の逃げ溝７６は他の錠止板５２〜５４の突片６２〜６４を鍵７１の下動に対し逃がす役割を果たす。
【００３２】
なお、図３及び図６において、符号６７は鍵孔４８のウォード、７７は各鍵７１、７２、７３又は７４のウォードである。
【００３３】
上記のように蓋板４１が開放されたら、外部へ現れたコード４１ａ（コード表示）を電気的判別確認装置（図示しない）で読み取って処理し、接続を意図している連通管３１と第２タンク群２のタンク２１との連結の正誤を事前に知る。
【００３４】
意図した操作が正しければ、そのまま連通管３１はタンク２１に接続し、意図した操作が誤っていれば、その操作は勿論中止する。
【００３５】
表示器４の付帯他を当初の位置に戻すには、差し込んだ鍵を引き抜き、開いた蓋板を閉ざせばよい。この際、蓋板は自動的に施錠される。
【００３６】
上述の作用例では、第１タンク群１における一例としてのタンク１１の連通管３１と第２タンク群２の一例としてのタンク２１とを接続させようと意図して場合の作用について説明したが、他の例でもそれに準ずるので、それらの説明については省略する。
【００３７】
【発明の効果】
以上に説明したこの発明のタンク間の連通管における接続確認装置によれば、設備費用が安く操作も簡単であるにかかわらず、タンクローリー車等に複数種の液体を各別に混載する際に、別種液体の混入ミスを確実に防止できる効果を奏する。
【図面の簡単な説明】
【図１】この発明にかかるタンク間の連通管における接続確認装置の実施例を示す全体の概要図。
【図２】その要部であるコード指示器の正面図。
【図３】その平面図。
【図４】その部分縦断背面図。
【図５】コード指示器における蓋板の係止状態を示す拡大部分縦断側面図。
【図６】コード指示器の鍵孔に差し込まれて用いられる鍵を示す図で、（Ａ）〜（Ｄ）は４つの互に個となる鍵の平面図、（Ｅ）はそれらの鍵の共通な側面図。
【符号の説明】
１  第１タンク群
１１〜１４  タンク
２  第２タンク群
２１〜２６  タンク
３１〜３４  連通管
４  表示器
４１〜４４  蓋板
４８  鍵孔
５１〜５４  錠止板
７１〜７４  鍵
【図１】
0003833312.tif 000002
【図２】
0003833312.tif 000003
【図３】
0003833312.tif 000004
【図４】
0003833312.tif 000005
【図５】
0003833312.tif 000006
【図６】
0003833312.tif 000007